(57)【要約】【課題】機器本体の開く動作を必要とせずに、視認したい表示情報をその画面表示時に周囲人物からのぞき込まれることなく容易に視認できるようにする。【解決手段】ノートＰＣ１０は、ＰＣ本体１０ｃのスロット部１０ｄ内に取り外し可能に接続される端末本体及びその端末本体上に配置される表示画面を有する小型カード型端末２０と、ＰＣ本体１０ｃが閉じた状態のままでＰＣ本体１０ｃ内の必要なメール表示情報にアクセスしてカード型端末２０へ転送する転送手段と、転送された表示情報をカード型端末２０の表示画面上に視認可能に表示する表示手段とを有する。転送手段は、ＰＣ本体１０ｃが閉じた状態で利用者が操作可能なボタン１１と、ボタン１１操作時に電源ＯＮ又はＷａｋｅ状態に移行させて必要なメールの読み込み及び転送動作を実行するように制御する制御部と、転送終了時に利用者にその旨を視認可能に知らせるＬＥＤ１２とを有する。【選択図】図１
2007328263.tif 000002
【特許請求の範囲】
【請求項１】
開閉可能な機器本体及びその機器本体に配置される表示部を有し、前記機器本体が開いた状態で前記表示部の情報表示を行う電子機器において、
前記機器本体に取り外し可能に接続される端末本体及びその端末本体上に配置される表示画面を有する表示端末と、
前記機器本体が閉じた状態のままで前記機器本体内の必要な表示情報にアクセスし、前記機器本体に接続した状態にある前記表示端末へ転送する転送手段と、
転送された表示情報を前記機器本体から取り外した状態にある前記表示端末の表示画面上に視認可能に表示する表示手段とを有することを特徴とする電子機器。
【請求項２】
前記転送手段は、
前記機器本体の所定位置に配置され、前記機器本体が閉じた状態で利用者が操作可能な操作手段と、
前記操作手段が操作されたときに前記転送手段の動作が実行できない第１の電源状態から前記転送手段の動作が実行可能な第２の電源状態に移行させ、前記転送終了後に前記第２の電源状態から前記第１の電源状態に戻るように制御する制御手段とを有することを特徴とする請求項１に記載の電子機器。
【請求項３】
前記操作手段は、操作ボタンであることを特徴とする請求項２に記載の電子機器。
【請求項４】
前記転送手段は、前記機器本体の所定位置に配置され、前記転送終了時に前記利用者にその旨を視認可能に知らせる点灯手段を有することを特徴とする請求項１乃至３のいずれか１項に記載の電子機器。
【請求項５】
前記点灯手段は、ＬＥＤであることを特徴とする請求項４に記載の電子機器。
【請求項６】
前記表示情報は、メール表示情報であることを特徴とする請求項１乃至５のいずれか１項に記載の電子機器。
【請求項７】
請求項１乃至６のいずれか１項に記載の電子機器で用いることを特徴とする表示端末。
【請求項８】
開閉可能なＰＣ本体及びそのＰＣ本体に配置される表示部を有し、前記ＰＣ本体が開いた状態で前記表示部の情報表示を行うノートＰＣにおいて、
前記ＰＣ本体に取り外し可能に接続される端末本体及びその端末本体上に配置される表示画面を有する表示端末と、
前記ＰＣ本体が閉じた状態のままで前記ＰＣ本体内の必要な表示情報にアクセスし、前記ＰＣ本体に接続した状態にある前記表示端末へ転送する転送手段と、
転送された表示情報を前記機器本体から取り外した状態にある前記表示端末の表示画面上に視認可能に表示する表示手段とを有することを特徴とするノートＰＣ。
【請求項９】
前記転送手段は、
前記ＰＣ本体の所定位置に配置され、前記ＰＣ本体が閉じた状態で利用者が操作可能な操作手段と、
前記操作手段が操作されたときに前記転送手段の動作が実行できない第１の電源状態から前記転送手段の動作が実行可能な第２の電源状態に移行させ、前記転送終了後に前記第２の電源状態から前記第１の電源状態に戻るように制御する制御手段とを有することを特徴とする請求項８に記載のノートＰＣ。
【請求項１０】
前記操作手段は、操作ボタンであることを特徴とする請求項９に記載のノートＰＣ。
【請求項１１】
前記転送手段は、前記ＰＣ本体の所定位置に配置され、前記転送終了時に前記利用者にその旨を視認可能に知らせる点灯手段を有することを特徴とする請求項８乃至１０のいずれか１項に記載のノートＰＣ。
【請求項１２】
前記点灯手段は、ＬＥＤであることを特徴とする請求項１１に記載のノートＰＣ。
【請求項１３】
前記表示情報は、メール表示情報であることを特徴とする請求項８乃至１２のいずれか１項に記載のノートＰＣ。
【請求項１４】
請求項８乃至１３のいずれか１項に記載のノートＰＣで用いることを特徴とする表示端末。
【請求項１５】
開閉可能な機器本体及びその機器本体に配置される表示部を有し、前記機器本体が開いた状態で前記表示部の情報表示を行う電子機器の表示情報確認方法において、
前記機器本体に取り外し可能に接続される端末本体及びその端末本体上に配置される表示画面を有する表示端末を用意するステップと、
前記機器本体が閉じた状態のままで前記機器本体内の必要な表示情報にアクセスし、前記機器本体に接続した状態にある前記表示端末へ転送するステップと、
転送された表示情報を前記機器本体から取り外した状態にある前記表示端末の表示画面上に視認可能に表示するステップとを有することを特徴とする電子機器の表示情報確認方法。
【請求項１６】
開閉可能なＰＣ本体及びそのＰＣ本体に配置される表示部を有し、前記ＰＣ本体が開いた状態で前記表示部の情報表示を行うノートＰＣの表示情報確認方法において、
前記ＰＣ本体に取り外し可能に接続される端末本体及びその端末本体上に配置される表示画面を有する表示端末を用意するステップと、
前記ＰＣ本体が閉じた状態のままで前記ＰＣ本体内の必要な表示情報にアクセスし、前記ＰＣ本体に接続した状態にある前記表示端末へ転送するステップと、
転送された表示情報を前記ＰＣ本体から取り外した状態にある前記表示端末の表示画面上に視認可能に表示するステップとを有することを特徴とするノートＰＣの表示情報確認方法。
【発明の詳細な説明】
【技術分野】
【０００１】
本発明は、本体を開いた状態で情報表示するノートＰＣに代表される電子機器及びそのメール内容等の表示情報を確認する表示情報確認方法に係り、特にノートＰＣを閉じた状態でその表示情報を確認する表示情報確認方法に関する。
【背景技術】
【０００２】
ノート型（ブック型）の電子機器であるＰＣ（パーソナルコンピュータ）（以下、ノートＰＣ）は、自宅や職場・学校での利用はもちろんのこと、鞄等に収納して持ち運びが容易である等の理由により、電車内や喫茶店等の様々な場所での利用も多い。こういった利用の仕方の１つとして、移動時間を利用して、外出先でメール確認を行う場合がある。この場合、ノートＰＣの本体を開いて、内蔵されているメールソフトウェア（以下「メールソフト」）を起動し、そのメールソフトの処理を通じて、ノートＰＣの表示画面上にメール内容を表示させ、その表示内容を確認する。
【０００３】
なお、本発明に関連する先行技術文献としては、次のものがある。
【特許文献１】特開２０００−１６３３３４号公報
【特許文献２】特開２００１−０４２９７１号公報
【特許文献３】特開平１１−２３７９２８号公報
【発明の開示】
【発明が解決しようとする課題】
【０００４】
しかしながら、上述のようにノートＰＣを利用してメール確認を行う場合には、次のような問題が考えられる。
【０００５】
まず、ノートＰＣを広げてメールを確認する操作が必須であるため、周囲人物からその表示をのぞき込まれる可能性があり、最悪の場合、情報漏洩の危険がある。また、メール確認には、ノートＰＣを開く動作が必要であるため、ノートＰＣの利用場所によっては容易にメール確認を行えない場合がある。例えば、電車内で立っている場合等においては、開く動作が困難なことが多く、メール確認が容易ではない。
【０００６】
上記の問題は、ノートＰＣに限らず、メール確認時に機器本体の開く動作を必要とし、周囲人物からその表示をのぞき込まれる可能性がある他の携帯型情報端末等の電子機器の場合も同様に生じ得る。また、メール確認に限らず、その他の機器本体内の各種ファイル等の表示情報にアクセスしてその表示画面を画面上に表示させて確認する場合も同様の問題が生じ得る。一方、前述した特許文献１〜３に開示されている従来技術は、このような問題を必ずしも意識したものではない。
【０００７】
本発明は、上記のような従来に事情を考慮してなされたもので、機器本体の開く動作を必要とせずに、視認したい表示情報をその画面表示時に周囲人物からのぞき込まれることなく容易に視認できる電子機器及びその表示情報確認方法を提供することを目的とする。
【課題を解決するための手段】
【０００８】
上記目的を達成するため、本発明に係る電子機器は、開閉可能な機器本体及びその機器本体に配置される表示部を有し、前記機器本体が開いた状態で前記表示部の情報表示を行う電子機器において、前記機器本体に取り外し可能に接続される端末本体及びその端末本体上に配置される表示画面を有する表示端末と、前記機器本体が閉じた状態のままで前記機器本体内の必要な表示情報にアクセスし、前記機器本体に接続した状態にある前記表示端末へ転送する転送手段と、転送された表示情報を前記機器本体から取り外した状態にある前記表示端末の表示画面上に視認可能に表示する表示手段とを有することを特徴とする。
【０００９】
本発明に係るノートＰＣは、開閉可能なＰＣ本体及びそのＰＣ本体に配置される表示部を有し、前記ＰＣ本体が開いた状態で前記表示部の情報表示を行うノートＰＣにおいて、前記ＰＣ本体に取り外し可能に接続される端末本体及びその端末本体上に配置される表示画面を有する表示端末と、前記ＰＣ本体が閉じた状態のままで前記ＰＣ本体内の必要な表示情報にアクセスし、前記ＰＣ本体に接続した状態にある前記表示端末へ転送する転送手段と、転送された表示情報を前記機器本体から取り外した状態にある前記表示端末の表示画面上に視認可能に表示する表示手段とを有することを特徴とする。
【００１０】
本発明において、前記転送手段は、前記機器本体の所定位置に配置され、前記機器本体が閉じた状態で利用者が操作可能な操作手段と、前記操作手段が操作されたときに前記転送手段の動作が実行できない第１の電源状態から前記転送手段の動作が実行可能な第２の電源状態に移行させ、前記転送終了後に前記第２の電源状態から前記第１の電源状態に戻るように制御する制御手段とを有してもよい。前記操作手段は、操作ボタンであってもよい。
【００１１】
本発明において、前記転送手段は、前記機器本体の所定位置に配置され、前記転送終了時に前記利用者にその旨を視認可能に知らせる点灯手段を有してもよい。前記点灯手段は、ＬＥＤであってもよい。
【００１２】
本発明において、前記表示情報は、メール表示情報であってもよい。
【００１３】
本発明に係る表示端末は、上記の電子機器又はノートＰＣで用いることを特徴とする。
【００１４】
本発明に係る電子機器の表示情報確認方法は、開閉可能な機器本体及びその機器本体に配置される表示部を有し、前記機器本体が開いた状態で前記表示部の情報表示を行う電子機器の表示情報確認方法において、前記機器本体に取り外し可能に接続される端末本体及びその端末本体上に配置される表示画面を有する表示端末を用意するステップと、前記機器本体が閉じた状態のままで前記機器本体内の必要な表示情報にアクセスし、前記機器本体に接続した状態にある前記表示端末へ転送するステップと、転送された表示情報を前記機器本体から取り外した状態にある前記表示端末の表示画面上に視認可能に表示するステップとを有することを特徴とする。
【００１５】
本発明に係るノートＰＣの表示情報確認方法は、開閉可能なＰＣ本体及びそのＰＣ本体に配置される表示部を有し、前記ＰＣ本体が開いた状態で前記表示部の情報表示を行うノートＰＣの表示情報確認方法において、前記ＰＣ本体に取り外し可能に接続される端末本体及びその端末本体上に配置される表示画面を有する表示端末を用意するステップと、前記ＰＣ本体が閉じた状態のままで前記ＰＣ本体内の必要な表示情報にアクセスし、前記ＰＣ本体に接続した状態にある前記表示端末へ転送するステップと、転送された表示情報を前記ＰＣ本体から取り外した状態にある前記表示端末の表示画面上に視認可能に表示するステップとを有することを特徴とする。
【発明の効果】
【００１６】
本発明によれば、機器本体の開く動作を必要とせずに、視認したい表示情報をその画面表示時に周囲人物からのぞき込まれることなく容易に視認できる電子機器及びその表示情報確認方法を提供することができる。
【発明を実施するための最良の形態】
【００１７】
次に、本発明の実施の形態について図面を参照して詳細に説明する。
【００１８】
図１は、本実施の形態に係る電子機器としてのノートＰＣの斜視図である。同図に示すように、ノートＰＣ１０は、背面側のヒンジ部（非図示）を介して正面側で開閉自在の一対の筐体、すなわち上部筐体１０ａ及び下部筐体１０ｂから成る所定サイズ（例えば、利用者の鞄等に収納可能なサイズ）のＰＣ本体１０ｃを有している。
【００１９】
ＰＣ本体１０ｃのうち、上部筐体１０ａには、後述する液晶ディスプレイ等の表示部１７等が設けられている。また、下部筐体１０ｂには、従来既知の構成（例えばキーボードやポインティングデバイス等）のほか、本実施例では、電源制御およびメールに関する動作を行う操作手段としてのボタン（操作ボタン）１１と、メール読み込み状態を示す点灯手段としてのＬＥＤ（Light Emitting Diode）１２と、カード型のスロット部１０ｄとが正面側の所定位置に設けられている。スロット部１０ｄには、本発明の表示端末を構成する小型カード型端末２０が取り外し可能に挿入配置される。小型カード型端末２０は、本実施例では、メール確認カードとして用いられ、スロット部１０ｄ内に挿入及び接続した状態でＰＣ本体１０ｃに読み込まれたメールの表示イメージが転送され、スロット部１０ｄから取り外した状態でそのメール内容が視認できるように構成されている。
【００２０】
図２は、ノートＰＣ１０から小型カード型端末２０へ転送されるメールの表示内容を示す。本実施例では、メール内容として、メールの表題および本文の表示イメージ３０を構成するデータを対象としている。
【００２１】
図３は、ノートＰＣ１０の内部構成を示す。同図に示すように、ノートＰＣ１０は、上述したボタン１１及びＬＥＤ１２が接続される全体制御用の制御部１４と、制御部１３に接続される各部、すなわち制御部１３と小型カード型端末２０との間を通信可能に接続するカード用Ｉ／Ｆ（インタフェース）１４と、各種プログラム及びデータを格納するメモリ（ＲＯＭ／ＲＡＭ）等の記録部１５と、無線回線または有線回線を介して通信を行う通信インタフェース（ＬＡＮ  Ｉ／Ｆ等）や通信モデム等の通信部１６と、液晶ディスプレイ等の表示部１７と、キーボードやポインティングデバイス等の入力部１８と、電源部１９とを有している。
【００２２】
このうち、記録部１５には、ＯＳ（オペレーティングシステム）１５ａ、メールソフトウェア（以下「メールソフト」と略称する）１５ｂ、専用ソフトウェア（以下「専用ソフト」と略称する）１５ｃ等のプログラムが格納されている。ＯＳ１５ａおよびメールソフト１５ｂは従来公知のものが使用されるので、その詳細については省略する。専用ソフト１５ｃは、ボタン１１及びＬＥＤ１２と共に、ノートＰＣ１０を閉じたまま、メール読み込み及び転送を行える転送手段（外部アクセス手段）の一部機能を構成する。その詳細については後述する。
【００２３】
制御部１４は、本発明の転送手段（制御手段）の要部を成すもので、一例として、プログラム制御で動作するマイクロコンピュータを搭載して構成され、そのＣＰＵ（Central Processing Unit）が予め設定されたプログラムを実行することにより、各部の処理動作を制御する。制御部１４は、ノートＰＣ１０として機能するための従来既知の各種動作制御のほか、本実施例では、ボタン１１動作時に記録部１５の専用ソフト１５ｃを起動しそのプログラムの命令をプログラムを実行することにより、メールソフト１５ｂを通じてメールを読み込み、その読み込んだメールの表題及び本文の表示イメージ３０をカード用Ｉ／Ｆ１４を介して小型カード型端末２０に転送する制御を行う。
【００２４】
図４は、小型カード型端末２０の正面図である。同図に示すように、小型カード型端末２０は、手のひらで覆い隠せる程度の所定サイズの端末本体２０ａを有している。この端末本体２０ａには、ノートＰＣ１０から転送されたメール内容を表示する表示画面２１と、その表示画面２１上の画面表示位置をスクロール操作可能な上下左右ボタン２２とが設けられている。
【００２５】
図５は、小型カード型端末２０の内部構成を示す。同図に示すように、小型カード型端末２０は、上述した表示画面２１及び上下左右ボタン２２が接続される制御部２３と、制御部２３に接続される各部、すなわち制御部１３とノートＰＣ１０との間を通信可能に接続する通信Ｉ／Ｆ（インタフェース）２４と、ノートＰＣ１０から転送されたメールの表示イメージ３０を格納する表示イメージ格納部２５とを有している。制御部２３は、本発明の表示手段の要部を成すもので、例えばＣＰＵを搭載したプロセッサからなり、予め図示しないメモリ（ＲＯＭ）に格納された制御プログラムを実行することにより、各部動作を制御し、表示画面２１上に転送されたメールの表示イメージ３０を表示させる制御を行う。
【００２６】
次に、図５を参照して、本実施の形態の全体動作について説明する。
【００２７】
図６は、ノートＰＣ１０の動作を示すフローチャートである。このフローチャートで示す制御プログラムは、本実施例では、例えば制御部１３内のメモリ（非図示）に格納され、その動作時に読み出されて制御部１３内のＣＰＵにより実行可能となっている。
【００２８】
まず、制御部１３は、利用者によりボタン１１が押下操作されると（ステップＳｔ１：ＹＥＳ）、ノートＰＣ１０が閉じていることによる既存の電源制御動作を無効とし（ステップＳｔ２）、電源部１９への電源ＯＮまたはＷａｋｅ動作を行う（ステップＳｔ３）。この場合、ボタン１１の押下操作前の電源ステータスが電源ＯＦＦであれば、電源ＯＮ動作を行い、Ｓｌｅｅｐ状態であれば、Ｗａｋｅ状態への移行を行う。
【００２９】
次いで、制御部１３は、ＯＳ１５ａを起動し（ステップＳｔ４）、引き続いてそのＯＳ１５ａによる制御の元で専用ソフト１５ｃを起動する（ステップＳｔ５）。これにより、制御部１３は、専用ソフト１５ｃの処理によりノートＰＣ１０内に予め登録されたメールソフト１５ｃを起動させ（ステップＳｔ６）、メールソフト１５ｃの処理によりメールの読み込みを開始する（ステップＳｔ７）。メールソフト１５ｃにより、所定の通信プロトコルで通信部１６を介してメールサーバ（非図示）に接続し、そのメールサーバからメールをノートＰＣ１０に読み込むまでの一連の処理動作については、従来既知のものが適用されるため、その詳細については省略する。
【００３０】
次いで、制御部１３は、メールソフト１５ｃによるメール読み込み動作が終了すると（ステップＳｔ８：ＹＥＳ）、専用ソフト１５ｃの処理により、読み込んだメールの表題および本文の表示イメージ３０をカード用Ｉ／Ｆ１４を介して小型カード型端末２０へ転送する（ステップＳｔ９）。これにより、小型カード型端末２０では、制御部２３による制御の元で、ノートＰＣ１０から転送されてくる表示イメージ３０を通信Ｉ／Ｆ２４を介して取り込み、表示イメージ格納部２５に格納する。
【００３１】
次いで、制御部１３は、転送終了すれば（ステップＳｔ１０：ＹＥＳ）、ＬＥＤ１２を点灯させ（ステップＳｔ１１）、利用者に動作終了を知らせる。その後、制御部１３は、ノートＰＣ１０の電源ステータスをボタン１１操作前の元の電源ステータス、すなわち電源ＯＦＦまたはＳｌｅｅｐ状態へ移行させる（ステップＳｔ１１）。利用者は、ＬＥＤ１２点灯を確認後、ノートＰＣ１０から小型カード型端末２０を取り外し、上下左右ボタン２２を操作して、確認したいメールの表示イメージ３０を表示画面２１へ表示させる。これにより、小型カード型端末２０の表示画面２１上でメール確認を行う。
【００３２】
上記のように、本実施例では、利用者がノートＰＣ１０のボタン１１を押下することにより、１）電源ＯＦＦから電源ＯＮへ、またはＳｌｅｅｐ状態からＷａｋｅ状態への電源ステータスの移行、２）メールソフト起動及びメール読み込み、３）メール表題および本文の画面表示イメージ３０をノートＰＣ１０内蔵のカード型端末２０への転送、４）ボタン１１押下前の電源ステータス（電源ＯＦＦ又はＳｌｅｅｐ状態）への移行の各動作をノートＰＣ１０が自動的に行う。そして、利用者は、ノートＰＣ１０から小型カード型端末２０を引き抜き、上下左右ボタン２２を操作することにより、表示画面２１上にメールの表示イメージ３０を表示させ、その内容を確認することができる。
【００３３】
従って、本実施例によれば、ノートＰＣ１０を閉じたまま、メール読み込みを行える外部アクセス手段、およびそのメール内容を視認できる取り外し可能な小型カード型端末２０をもつノートＰＣ１０を提供することができる。
【００３４】
本実施例のノートＰＣ１０では、手のひらで覆い隠せる大きさの小型カード型端末２０に表示させるため、利用者の動作で容易に隠すことができるため、のぞき込みを防止することができる。また、本実施例のノートＰＣ１０には、電源制御およびメール内容の小型カード型端末２０への転送までの一連の動作を自動的に行うボタン１１を用意したため、ノートＰＣ１０のＰＣ本体１０ｃを開く動作が必要ない。
【００３５】
よって、本実施例では、ノートＰＣ１０のＰＣ本体１０ｃの開く動作を必要とせずに、視認したいメールをその画面表示時に周囲人物からのぞき込まれることなく容易に視認することができる新規な構成のメール確認カード付きノートＰＣを提供することができる。
（変形例）
上記の実施例では、ノートＰＣ１０が閉じた状態にあるときにボタン１１を押下操作する場合を説明しているが、ノートＰＣ１０が開いた状態で電源ＯＦＦ又はＳｌｅｅｐ状態にあるときにボタン１１を押下操作した場合も、上記と同様のメール読み込み及び転送動作を行うことができる。この場合、図６のステップＳｔ２以外の処理を適用することが可能である。
【００３６】
また、ノートＰＣ１０が開いた状態で電源ＯＮ又はＷａｋｅ状態にあるときにボタン１１を押下操作した場合も、上記と同様のメール読み込み及び転送動作を行うことができる。この場合、図６のステップＳｔ２〜Ｓｔ４、Ｓｔ１２以外の処理を適用することが可能である。或いは、この場合には、上記のメール読み込み及び転送動作を無効とするように制御してもよい。
【００３７】
なお、ノートＰＣ１０の開閉状態については、既存の開閉センサ（非図示）からの開閉検出信号に基づいて制御部１３が判断可能となっている。
【００３８】
また、上記実施例では、ボタン１１、ＬＥＤ１２、スロット部１０ｄは、ＰＣ本体１０ｃの正面側に配置されているが、本発明はこれに限定されるものではなく、利用者がノートＰＣ１０のＰＣ本体１０ｃを閉じた状態で操作可能な位置であれば、いずれの位置に配置してもよい。例えば、左側側面、右側側面、背面等の所定位置に配置可能である。
【００３９】
また、本実施例では、操作手段としてボタン１１を用いているが、本発明はこれに限定されず、ノートＰＣ１０のＰＣ本体１０ｃを閉じたままで操作可能なものであれば、いずれでも適用可能である。例えば操作スイッチでもよい。
【００４０】
また、本実施例では、メールを確認する場合を説明しているが、本発明はこれに限らず他の情報を確認する場合でも適用可能である。この場合、例えばメールソフトに代えて、視認したい表示情報を処理するアプリケーションソフトウェアを用いて、必要な表示情報を読み込み、その表示イメージを小型カード型端末に転送することで実現可能である。
【００４１】
また、本実施例では、電子機器としてノートＰＣを用いた場合を説明しているが、本発明はノートＰＣに限らず、情報表示時に機器本体の開く動作を必要とする他の電子機器でも適用可能である。例えばＰＤＡ（Personal Digital Assistant）等の携帯型情報端末でも適用可能である。
（活用例）
本発明の活用例として、メール確認以外に、小型カード型端末へ装着するオプション機器を提供することにより、例えば音楽ファイル再生、地図表示、他アプリケーションにて作成したファイルの表示等を行う機能を付加することが可能となる。
【００４２】
以上、本発明の実施例を詳細に説明したが、本発明は、代表的に例示した上述の実施例に限定されるものではなく、当業者であれば、特許請求の範囲の記載内容に基づき、本発明の要旨を逸脱しない範囲内で種々の態様に変形、変更することができる。これらの変形例や変更例も本発明の権利範囲に属するものである。
【００４３】
例えば、本実施例に係るノートＰＣを構成する各部の少なくとも一部の機能は、プログラム制御で動作するプロセッサ（ＣＰＵ）と、制御プログラムや制御データ等を格納する記憶領域を有するメモリ（ＲＯＭ／ＲＡＭ）と、各種入出力装置（例えば、ハードディスク等の外部記録装置、通信モデムやＬＡＮインタフェース等の通信装置、ＣＲＴや液晶ディスプレイ等の表示装置、キーボードやマウス等の入力装置等の各種周辺装置）とを用いて実現することが可能である。この場合、プロセッサ、メモリ、及び各種入出力装置の各構成要素は、本発明の範疇に含まれる。
【００４４】
また、本実施例に係るノートＰＣを構成する各部の少なくとも一部の機能を、プログラムコードを用いて実現する場合、かかるプログラムコード及びこれを記録する記録媒体は、本発明の範疇に含まれる。この場合のプログラムコードは、オペレーティングシステムや他のアプリケーションソフト等と共同して上記機能が実現される場合は、それらのプログラムコードも含まれる。また、記録媒体としては、ハードディスクやＲＯＭ（Read Only Memory）のほか、フレキシブルディスク、光ディスク、光磁気ディスク、ＣＤ−ＲＯＭ、磁気テープ、不揮発性のメモリカード等を用いることができる。
【産業上の利用可能性】
【００４５】
本発明は、機器本体の開いた状態で情報表示を行うノートＰＣ等の電子機器及びそのメール表示内容等の表示情報を確認する表示情報確認方法に利用可能である。例えば、ノートＰＣのＰＣ本体を閉じた状態でメール表示内容を確認する場合の用途に利用可能である。
【図面の簡単な説明】
【００４６】
【図１】本発明の実施例に係る電子機器であるノートＰＣ及びこれに取り外し可能な小型カード型端末を示す斜視図である。
【図２】ノートＰＣから小型カード型端末へ転送されるメール表示内容を示す図である。
【図３】ノートＰＣの内部構成を示す概略ブロック図である。
【図４】小型カード型端末を示す正面図である。
【図５】小型カード型端末の内部構成を示す概略ブロック図である。
【図６】ノートＰＣの動作を説明する概略フローチャートである。
【符号の説明】
【００４７】
１０  ノートＰＣ
１０ａ  上部筐体
１０ｂ  下部筐体
１０ｃ  ＰＣ本体
１０ｄ  スロット部
１１  ボタン（操作手段）
１２  ＬＥＤ（点灯手段）
２０  小型カード型端末（表示端末）
２０ａ  端末本体
２１  表示画面
２２  上下左右ボタン
【図１】
2007328263.tif 000003
【図２】
2007328263.tif 000004
【図３】
2007328263.tif 000005
【図４】
2007328263.tif 000006
【図５】
2007328263.tif 000007
【図６】
2007328263.tif 000008